(57)【要約】【課題】  従来の文字入力や機器操作は、利用者が入力や機器の内容を正しく理解し記憶して、指令内容をボタン・キーなどで正しく選択した時に正常に作動するようになっている。記憶はボタンやキーの数が増えるほど困難になる。【解決手段】視覚障害（全盲）を条件設定して、カタカナをベースに手書きやサインやポーズを発信信号として活用した。利用者の信号画像を文字に対応させる。利用者は、導入に際して新たに覚えることはなく、信号発信は容易である。機器システムの利用操作に慣れ「日常感覚」になれば、信号を高速化するために略字体系を活用する。形状認識方法の応用範囲は広く高齢者・保育児でも使える。  文字から文字に変換するという「略字化の方法」が発信・利用を簡単にする。【選択図】図１
2018185777.tif 000002
【特許請求の範囲】
【請求項１】
視覚障害者モデルを典型例に、発信と受信が簡単にできる「手書きカナ文字等（日常感覚の仮名文字体系）」の文字体系および当該文字体系を活用して「文字入力や機器操作」する情報家電・電子部品等のシステム。
【請求項２】
カタカナの「発音記号機能」をベースに「日常感覚の仮名文字体系として創出された複数の簡易文字体系」および当該文字信号体系を使った「外国語の発音や入力や翻訳に適用」する標準文字システム。
【発明の詳細な説明】
【技術分野】
【０００１】  本発明は、情報家電や電子部品等の文字入力や機器操作を行うものである。
【背景技術】
【０００２】  従来の文字入力は、位置認識（テンキー・キーボード）や音声認識（音声入力）が基本にある。位置認識は認識精度が１００％に近く、現在、大半の機器や部品で使われている。また、音声認識は多少精度が低い弱点はあるが、限られた分野の限られた目的や条件下では有効である。【０００３】  しかし、（身体の）障害を前提（ここでは視覚障害）とすると現行方法が持つ大きな弱点が理解しやすい。例えば位置認識方式では「視覚障害者がボタンの位置が記憶できない、分からないのが普通」で認識精度が低い。言葉を変えれば、健常者でも暗闇や目隠し状態では多くの人が、機器やパソコンやスマホなどを操作できない。障害が例示するものは「日常生活での様々な一般環境下」である。日常生活の環境下では（研究用の研究室・スタジオなどの特殊条件とは異なり）文字入力や機器操作は、かなり精度が低くなる。【０００４】  また、音声認識（音声入力）は、現時点では限定分野や特定条件で使われる程度である。「数字と文字が混在するビジネスの分野」は典型であるが、音声入力では認識精度が低く誤りが頻発し、修正も困難である。【０００５】  手書き入力は漢字仮名混じりで実用化されているが、（利用者の）「漢字のうろ覚えなど」を背景として、（特にスマホの目隠し状態では）誤りが頻発する。画面の狭いスマホなどでは、「（利用者の）手書きの漢字記載自体に誤り」が頻発し、誤変換や誤操作に直結する。【０００６】  さらに課題を言えば、現行方式の多くは、「利用者と機器（信号受信器）との近接が前提」になっている。位置認識や音声入力や手書き入力などで、利用者と機器の距離は、半径５０センチ程度までで、手の届く範囲が普通である。
【先行技術文献】
【特許文献】
【非特許文献】
【０００７】  点字で漢字    毎日  ２００２．８．３
ベビートーク  産経  ２００１．１．１８
数字配列      朝日  ２００７．８．２０
手書き        日経  ２０１１．１．７
ＡＩ通訳      読売  ２０１７．４．３
【発明の概要】
【発明が解決する課題】
【０００８】  以上述べたように、従来の「情報家電関係技術」全体で、（視覚障害者や高齢者を典型例に）パソコンやタブレットやスマホの文字入力や機器操作が、（日常生活の利用感覚からは遠く）、生活感覚のツールにはなっていない。特に、ボタンの例が示すように、利用者の発信信号を機器（信号発信）と離れたところから受信する（遠くから機器の操作や入力する）ことは困難である。
【０００９】  本発明は、日常感覚を重視し「手書きで文字を書く感覚で入力や操作ができるシステムを作ろう」とするものである。特にテンキーやキーボードの補完・代替になるシステムを目指している。［このために、（信号発信の）ボタン位置が探しにくい「視覚障害（完全な全盲）者」という厳しい条件を設定して技術やシステムを確認して検討した。］発信者の動作（サイン・ポーズ）自体が文字である。
手書きの画面（用紙）も、テーブルサイズで、感覚的には「立体空間」になる。原理上の文字発信は、空に向かって空中に文字を書く感覚である。カメラが手の動きを動体画像として認識する。実際に紙に書くのが基本ではあるが、手の動きを認識するのだから、文字信号は３次元（立体）でもよい。信号の受信はカメラレンズが原理になるから、発信との距離も望遠鏡での認識感覚へと広がる。
【課題を解決するための手段】
【００１０】  そして、本発明は上記の目的を達成するために、「（日常感覚の）カタカナ手書き文字をベース」にして、「文字（記号・符号等）自体」を発信して文字入力や機器操作を実現するものである。ボタンやキーは記号を文字にする方法である。本発明は、「文字自体を発信」して、「通常文字に変換」する発想である。手書きのカナが原型で既に文字として読める。「発信信号自体が既に文字体系」である。
【００１１】  また、実現の手段としては、文字は「手書き・ポーズ・サイン・口の形など」の日常感覚や日常動作を基本にした。本発明は（導入期に、マニュアルや操作方法が不要で）日常感覚で操作や入力できる日常感覚のシステムを目指している。
日常の会話や手書きが、そのまま入力や操作になる。毎分１５０文字以上が標準であり高速化するために簡略文字体系を創出した。カナの一部が原則で、略字を少しずつ使っていけば、ほぼ会話速度の信号発信になる。毎分２００文字超。
【００１２】  上記、第１の課題手段による作用は次の通りである。すなわち、原理上、「机上の紙にペンでカタカナを書いた」時、離れたカメラ等の形状認識技術が「書かれたカナ文字を信号」として認識しパソコンやスマホの画面にデジタルデータのカナ文字として表示する。（キーボードではなく）利用者がカタカナやローマ字を実際に書くことで、その「文字自体が信号」になり入力や操作が実現する。（実用上では、受信でデータになって表示された文字などを画面で修正する。）
【００１３】  また、第２の課題手段による作用は、（簡略文字の応用展開であり）、カナ文字を入力する場合、カタカナの「手書き、ポーズ、サイン、口の形」など複数の方法が併用・連携される。個々の信号発信方法に比べて、文字や操作の精度は、ダブルチェック的に高まる。また、基本で複数の方法が併用されるので、他の方法が修正方法にもなる。つまり、相互補完や補助修正が基本機能として備わる。
応用上で、利用者の目的やレベルに応じた高速化・簡略化が用意されている。
【００１４】  以上、説明したように本発明の操作や入力は、「日常感覚が基本」で、「日常の動作が基本」であり、高齢者はもとより小学生・保育児などでも操作や入力が容易になる。「手書きで文字を書いたり、話をしたりする感覚で利用」できる。
【００１５】  また、条件設定を視覚障害という厳しいものにした結果、「視覚障害者や聴覚障害者などの利用という基準」も越える。利用者の動作や仕草が文字としてシステムに取り込まれるので、利用上、文字信号のパターンを選べば文字信号になる。障害者などに限定すれば、障害の状態に応じて文字信号（指令方法）を選べるし、利用者向けに文字体系を改良することも容易である。
【発明の効果】
【００１６】  上述したように、本発明は、日常感覚でパソコンやスマホなどを操作・入力できる。また、手書きの文字体系は、「表記と発音が完全一致するカタカナの特徴」を踏まえており、外国語にも適用できる。従って、カタカナで発音を表記できる言語（外国語、方言）は、全て本発明の方法で発音を表記できる。
カナ経由で、発音や翻訳が単語レベルに始まって、文章へと応用展開される。
【図面の簡単な説明】
【００１７】
【図１】システムの全体図
【図２】基本原理
【図３】文字の変換
【図４】文字体系
【図５】外国語への応用
【発明を実施するための形態】
【００１８】  以下、本発明の実施の形態を図１から図５に従って説明する。
【００１９】  図１は、文字変換のシステムである。カタカナの変形文字をベースに「カナ文字から日本語文」に形状認識され変換されるシステムの流れを示している。カナ信号が自動受信で画面表示され文字入力になる。機器操作であれば、その文章に従って操作が開始される。動画を含んだ「形状（画像）」認識が基本技術である。
手のサインが、「文字そのもの」であり、表示画面でデジタル文字になる。
【００２０】  図２は基本原理の説明で、カナ文字等が信号となって、表示画面にデジタル表示される全容が示されている。例えば、携帯電話のカメラ経由で「手書き１文字」のカタカナやローマ字が「１枚の写真」になって「連続写真で表示画面に転送」される。並べられた写真がカタカナに変換され、「漢字仮名混じり文」になる。
動体画像認識の普及を考えると、手のサインが直接、入力・操作になる。
【００２１】  図３は「文字変換の為に作られたローマ字」の認識体系である。外国語での活用も想定して、ローマ字変換入力を中心に示した。英語表示は、アルファベットへの変換であり、「ローマ字カナ変換」での多言語への変換に繋がる。
【００２２】  図４は文字の基本体系を示したものである。カタカナの手書き、ローマ字の手書き、カタカナのサイン、ローマ字のサイン、ローマ字のポーズ、数字のサイン。本発明は日常のサインやポーズから「カナや数字を連想」するのが基本である。
文字体系は、文字では「カタカナの部分単線」と「カタカナのサイン」が、数字では「指の数」が基本にある。サインは身体の胸の位置が基本で、上下左右などの方向は区別しない。手のサインは、両手・右手・左手の３パターンある。
数字表現は、指の数「１２３４５６７８９０」であり、位取りで無限に表示できる。静止画像としての「指の形」で数は無限大に表示できる。通常は１００までで足りるので、２桁では「左手が１０の位、右手が１の位に設定」している。
【００２３】  図５は、カタカナ表記が外国語にも使えることに注目した。カタカナで類似音を発音できる言語は、全て「言語として相互変換」できる。例えば「こんにちは」の挨拶を「コンニチハ」と表記して対応する５０ほどの言語の文字例である。
カタカナで類似発音できる外国語は、カタカナで表音表記ができる。単語の対応をベースにすると辞書が簡単に作成できる。さらには、単語の翻訳をベースに、単語の意味が（翻訳する２つの言語間で）おおよその意味で表示できる。
表示は５０の言語であるが、原理上は６０００言語の全てにも対応できる。
【００２４】  形状認識のカタカナは、会話速度に近い速さで、音声に対応して文字信号に変換する点に特徴がある。「文字を文字に変換する速度の標準」は毎分速度６０文字から１００文字であるが、慣れれば分速２００文字超になる。
文字体系の基本は「カタカナの表記と発音」にあり、低速であれば特段の学習は必要がない。会話を基本に置き、会話速度に近づける為に、文字体系を創出し、文字の一部を使い、会話での「口の形」や「表情」なども併せて認識していく。
本発明の操作入力方法は、すぐに使い始められる点に大きな特徴がある。
【００２５】  本発明の方法は音声入力とも部分的に重なるので、音声認識の補完技術にもなり、相互協力が期待される。入力変換は日常感覚が基本になるので、「紙と鉛筆で音読」しながらカナを書く感覚の方法である。併用で認識精度は高まる。
【図１】
2018185777.tif 000003
【図２】
2018185777.tif 000004
【図３】
2018185777.tif 000005
【図４】
2018185777.tif 000006
【図５】
2018185777.tif 000007